(57)【要約】【課題】光ディスクを確実に保持して取り出すことができ、汚れや傷等による記録データの損失を防ぐことが可能な光ディスク収納ケースを提供する。【解決手段】光ディスク収納ケースをディスクカートリッジ１０と保護ケース５０で構成する。ディスクカートリッジ１０は、第１および第２ハーフシェルに形成されたアクセス窓２２、３３と、一対の切欠き２４、３４と、アクセス窓近傍に設けられた位置決め用穴４０ａ、４０ｂ、４０ｃを有し、保護ケース５０には、ディスクカートリッジ１０が収納された際に各位置決め用穴４０ａ、４０ｂ、４０ｃおよび切欠き２４、３３にそれぞれ係合する突起を有する。【選択図】      図４
2004149165.tif 000002
【特許請求の範囲】
【請求項１】
光ディスクのディスクカートリッジおよびディスクカートリッジを保護する保護ケースからなる光ディスク収納ケースであって、
前記光ディスクを載置する載置部を有する第１ハーフシェルと、この第１ハーフシェルに回動自在に取り付けられ光ディスクをカバーする第２ハーフシェルと、前記第１および第２ハーフシェルにそれぞれ対向するよう形成された窓部と、前記窓部の近傍に設けられた穴部とを有するディスクカートリッジと、
このディスクカートリッジが挿入される開口と、前記ディスクカートリッジが収納された際に前記穴部に係合する突起部とを有する保護ケースと
を具備したことを特徴とする光ディスク収納ケース。
【請求項２】
光ディスクのディスクカートリッジおよびディスクカートリッジを保護する保護ケースからなる光ディスク収納ケースであって、
前記光ディスクを載置する載置部を有する第１ハーフシェルと、この第１ハーフシェルに回動自在に取り付けられ光ディスクをカバーする第２ハーフシェルと、前記第１および第２ハーフシェルの側壁に形成され前記光ディスクの周縁部の一部を露出させる一対の切欠き部とを有するディスクカートリッジと、
このディスクカートリッジが挿入される開口と、前記ディスクカートリッジが収納された際に前記一対の切欠き部にそれぞれ係合する一対の突起部とを有する保護ケースと
を具備したことを特徴とする光ディスク収納ケース。
【請求項３】
光ディスクのディスクカートリッジおよびディスクカートリッジを保護する保護ケースからなる光ディスク収納ケースであって、
前記光ディスクを載置する載置部を有する第１ハーフシェルと、この第１ハーフシェルに回動自在に取り付けられ光ディスクをカバーする第２ハーフシェルと、前記第１および第２ハーフシェルにそれぞれ対向するよう形成された窓部と、前記窓部の近傍に設けられた穴部と、前記第１および第２ハーフシェルの側壁に形成され前記光ディスクの周縁部の一部を露出させる一対の切欠き部とを有するディスクカートリッジと、
このディスクカートリッジが挿入される開口と、前記ディスクカートリッジが収納された際に前記穴部に係合する第１の突起部と、前記一対の切欠き部にそれぞれ係合する一対の第２の突起部とを有する保護ケースと
を具備したことを特徴とする光ディスク収納ケース。
【発明の詳細な説明】
【０００１】
【発明の属する技術分野】
本発明は、光ディスクを取り外し自在に収納するディスクカートリッジとこのディスクカートリッジを取り外し自在に収納する保護ケースからなる光ディスク収納ケースに関する。
【０００２】
【従来の技術】
データの書き換え可能な光ディスクは再生専用の光ディスクに比較して傷や汚れに対するデータ記録再生の信頼性が低い。そのため、光ディスクの記録面を保護するディスクカートリッジに光ディスクを収納し、この光ディスクが収納されたディスクカートリッジをディスクカートリッジ対応の光ディスク装置に装着する方法が用いられる。このディスクカートリッジに記録したデータをカートリッジ非対応の光ディスク装置で再生する場合には、ディスクカートリッジから光ディスクを取り出して光ディスク装置に装着する。
【０００３】
ディスクカートリッジに装着された光ディスクを取り出す際には、光ディスクの記録面に触れることなく簡単に取り出せ、かつ取り出し時に光ディスクの記録面が傷つくことを防止する必要があり、光ディスクを載置するディスクトレイをディスクカートリッジに回動自在に設ける構造が考えられている（例えば、特許文献１参照。）。
【０００４】
【特許文献１】
特開２０００−２６０１５１号公報（第４−８頁、第１図）
【０００５】
【発明が解決しようとする課題】
しかし、上記特許文献１では、光ディスクが載置されるディスクトレイを回動自在にディスクカートリッジに収納する構成のため機構が複雑になると共にディスクカートリッジの薄型化が妨げられるという問題があった。また、光ディスクをディスクトレイから取り出す際には、光ディスクの中央穴とディスクトレイの側面の切欠きを介してディスクの側部とを指で挟んで持ち上げる必要があり、ディスクトレイからの取り出しに難点があった。
【０００６】
本発明は上記課題に鑑み、簡単な構成で確実にかつ容易に保持して取り出すことができ、汚れや傷による記録データの損失を防ぐことが可能な光ディスク収納ケースを提供することを目的とする。
【０００７】
【課題を解決するための手段】
本発明の光ディスク収納ケースは、光ディスクを載置する載置部を有する第１ハーフシェルと、この第１ハーフシェルに回動自在に取り付けられ光ディスクをカバーする第２ハーフシェルと、第１および第２ハーフシェルにそれぞれ対向するよう形成された窓部と、窓部の近傍に設けられた穴部と、第１および第２ハーフシェルの側壁に形成され光ディスクの周縁部の一部を露出させる切欠き部とを有するディスクカートリッジと、このディスクカートリッジが挿入される開口と、ディスクカートリッジが収納された際に穴部に係合する第１の突起部または切欠き部に係合する第２の突起部とを有する保護ケースとを備えている。
【０００８】
本発明により、光ディスクをディスクカートリッジから取り出す際に、第２ハーフシェルを第１ハーフシェルに対して回動して光ディスクを露出させ、一対の切欠き部を介して光ディスクの周縁を指で挟んで取り出し、ディスクカートリッジを保護ケースに収納した際に保護ケースの内面に設けられた突起部がディスクカートリッジに形成された穴部または切欠き部に係合することによりディスクカートリッジが保護ケースから脱落しづらく、ディスクカートリッジの窓部、切欠き部を介してごみ等が光ディスクに付着することを防止することが可能になる。
【０００９】
【発明の実施の形態】
以下、図面を参照して、本発明の実施形態を説明する。
図１乃至図３は本実施形態に係わるディスクカートリッジの斜視図である。
なお、ディスクカートリッジ１０は厚さ約１．２ｍｍ、径８０ｍｍのデータの書き換えが可能な光ディスクを収納するものとする。
ディスクカートリッジ１０はベース部として機能する第１ハーフシェル１４およびカバー部として機能する第２ハーフシェル１６を有する。この第２ハーフシェル１６はヒンジ１５を介して第１ハーフシェルに対して開閉自在に取り付けられている。ディスクカートリッジ１０は第２ハーフシェル１６を第１ハーフシェル１４上に閉じた状態において、扁平なほぼ円形状をなしている。
【００１０】
第１ハーフシェル１４は円形のディスク載置部１８とこのディスク載置部の周縁に沿って立設された側壁２０とを一体に有している。ディスク載置部１８は光ディスク１２の径よりも僅かに大きな内径を有し、側壁は光ディスク１２の厚さよりも大きな高さに形成されている。光ディスク１２はディスク載置部１８上で側壁２０の内側に僅かな隙間を持って装着される。ディスク載置部１８には図示しない光ディスク装置の光ピックアップヘッドが光ディスク１２へアクセスするためのアクセス窓２２が形成され、ディスク載置部１８の中央部から一方の側縁まで帯状に延びている。
【００１１】
第１ハーフシェル１４には収納された光ディスク１２を把持するための一対の切欠き２４が形成されている。各切欠き２４は側壁２０の一部およびディスク載置部１８の周縁の一部を切欠いて形成されている。これらの切欠き２４はアクセス窓２２の両側に位置し、ディスク載置部１８の中心を間に挟んで対向している。切欠き２４間の間隔は、光ディスク１２の直径よりも小さくなっている。
【００１２】
第２ハーフシェル１６は切欠きの部分を除き第１ハーフシェル１４とほぼ同様に構成され、円形のディスクカバー部３０とこのディスクカバー部の周縁に沿って立設された側壁３２とを一体に有している。ディスクカバー部３０は第１ハーフシェル１４の外径とほぼ等しい径を有し、側壁３２は第１ハーフシェルの側壁２０よりも薄く形成されている。ディスクカバー部３０には、図示しない光ディスク装置の光ピックアップヘッドが光ディスク１２へアクセスするためのアクセス窓３３が形成され、ディスクカバー部の中央部から一方の側縁まで帯状に延びている。
【００１３】
側壁３２の内、第１ハーフシェル１４の切欠き２４と対応する部分は、切除され切欠き３４を形成している。これらの切欠き３４はアクセス窓３３の両側に位置し、ディスクカバー部３０の中心を間に挟んで対向している。これらの切欠き３４はほぼ直線状の切欠きとして形成され、切欠き３４間の間隔は光ディスク１２の径以上に設定されている。
【００１４】
図２に示されるように、第２ハーフシェル１６を閉じて光ディスク１２を収納した状態において、第１ハーフシェル１４のディスク載置部１８および第２ハーフシェル１６のディスクカバー部３０は、光ディスク１２を挟んで互いに平行に対向しているとともに、それぞれ光ディスク１２の記録面と対向している。側壁２０は光ディスク１２の周縁に対向している。また、第２ハーフシェル１６の側壁３２は第１ハーフシェル１４の側壁２０外面側に係合している。さらに、アクセス窓２２、３３は、光ディスク１２を間に挟んで対向し、光ディスクの両面の一部および光ディスクの中心孔１３はこれらのアクセス窓を通して外部に露出している。更に、第２ハーフシェル１６の切欠き３４は、それぞれ第１ハーフシェル１４の切欠き２４と重なって位置している。
【００１５】
ディスクカートリッジ１０内において、光ディスク１２は、カートリッジ内面にわずかな隙間を置いた状態で収納され、あるいはディスク外周部の非記録面部分ではカートリッジ内面に接触した状態で収納されている。また、光ディスク１２の外周部の内、第１ハーフシェル１４の切欠き２４と対向する部分は、これらの切欠き２４を通して露出している。
【００１６】
上記のように構成されたディスクカートリッジ１０によれば、光ディスク１２を取出す場合、図３に示すように、第２ハーフシェル１６を上方に回動して開放する。そして、図３に矢印で示すように、一対の切欠き２４の位置で光ディスク１２の周縁部を両側から把持し、光ディスクを第１ハーフシェル１４から取り出す。この際、各切欠き２４は光ディスク１２の周縁を越えて中心孔１３方向へ延出しているため、これらの切欠き２４を利用して光ディスク１２の周縁部に指を掛け、光ディスクを確実に把持することができる。
【００１７】
そのため、光ディスクの取出し時、不用意にディスク記録面を触って、指紋などの汚れが付着し、あるいは光ディスクを落として記録面に傷や汚が付いてしまうといった不具合を防ぐことができる。同時に、光ディスクの取扱いを容易にすることが可能となる。
【００１８】
なお、図１乃至３において、ディスクカートリッジ１０の第２ハーフシェル１６にはディスクカートリッジを光ディスク装置に挿入した際に位置決めする複数の穴４０ａ、４０ｂ、４０ｃがアクセス用窓３３の近傍に設けられている。
【００１９】
このディスクカートリッジ１０に光ディスク１２が収納された状態おいて、光ディスク１２はアクセス窓２２、３３および切欠き２４、３４で形成される側部開口で露出される。したがってディスクカートリッジ１０の保管時、携帯時、取り扱い時において、光ディスク１２に傷をつけたり、指紋やごみを付着させる可能性がある。そこで、ディスクカートリッジ１０を保護ケースに収納する構成とする。
【００２０】
図４乃至図７は本実施例に係わる保護ケースの構造を示す図である。
保護ケース５０は弾性を有する樹脂により箱状に形成され、ディスクカートリッジ１０を出し入れするための開口部５１を有する。また、保護ケース５０の内壁には、ディスクカートリッジ１０を保護ケース５０に収納した際にディスクカートリッジ１０の穴４０ａに係合する突起部５０ａ、穴４０ｂに係合する突起部５０ｂ、穴４０ｃに係合する突起部５０ｃ、ディスクカートリッジ１０の切欠き２４、３４により形成される開口に係合する突起部５０ｄを有する。
【００２１】
ディスクカートリッジ１０のアクセス窓２２、３３を奥側にして、ディスクカートリッジ１０が保護ケース５０の開口５１から挿入されると、ディスクカートリッジ１０が完全に保護ケース５０に収納された際に、突起５０ａが穴４０ａに、突起５０ｂが穴４０ｂに、突起５０ｃが穴４０ｃに、突起５０ｄがディスクカートリッジ１０の切欠き２４、３４により形成される開口に係合される。保護ケースを以上のように形成することにより、アクセス窓２２、３３およびディスクカートリッジ１０の切欠き２４、３４により形成される両側面に形成される開口が保護ケースによりカバーされ、かつ持ち運び時にディスクカートリッジ１０が自重により保護ケース５０から脱落することが防止できる。
【００２２】
収納されたディスクカートリッジ１０を取り出す際には、保護ケース５０は弾性を有するため、所定以上の力でディスクカートリッジ１０が引かれることにより、各突起５０ａ、５０ｂ、５０ｃ、５０ｄがたわみ穴４０ａ、４０ｂ、４０ｃ、４０ｄとの係合が解除される。
【００２３】
なお、本実施例の保護ケース５０においては突起を複数設けて各穴に係合させる構成としたが、突起を１個のみ形成して所定の穴に係合させる構成をとっても同様の効果を有する。さらに、ディスクカートリッジ１０の各穴を第１ハーフシェルと第２ハーフシェルの両方に形成し、両穴に係合する突起を保護ケースの上下内壁に設ける構成としてもよい。
【００２４】
また、本実施例のディスクカートリッジ１０において、第１ハーフシェル１４の切欠き２４が第２ハーフシェル１６の切欠き３４と同様にほぼ直線状の切欠きで３４間の間隔が光ディスク１２の径以上に設定されている場合のディスクカートリッジと保護ケースとの組合せた構成としてもよい。
【００２５】
本実施例においては、光ディスク収納ケースをディスクカートリッジ１０と保護ケース５０で構成し、ディスクカートリッジ１０を光ディスク１２を載置する載置部１８を有する第１ハーフシェルと、第１ハーフシェルに回動自在に取り付けられ光ディスク１２をカバーする第２ハーフシェルと、第１および第２ハーフシェルに形成されそれぞれ対向するアクセス窓２２、３３と、アクセス窓２２、３３を挟み第１および第２ハーフシェルの側壁に形成され光ディスク１２の周縁部の一部を露出させる一対の切欠き２４、３４と、アクセス窓近傍に設けられた位置決め用穴４０ａ、４０ｂ、４０ｃを有する構成とし、保護ケース５０をディスクカートリッジ１０が挿入される開口５１と、ディスクカートリッジ１０が収納された際に各位置決め用穴４０ａ、４０ｂ、４０ｃおよび切欠き２４、３３にそれぞれ係合する突起を有する構成とすることにより、光ディスク１２を容易に保持してディスクカートリッジ１０から取り出すことができ、かつディスクカートリッジ１０の各穴および開口からごみなどが入り込んで光ディスク１２に付着しまた光ディスク１２に傷をつけることを防止でき、ディスクカートリッジ１０を保護ケース５０内に収納した状態でディスクカートリッジ１０が自重等で保護ケース５０から容易に脱落することを防止できる。
【００２６】
【発明の効果】
本発明によれば、光ディスクを確実に保持して取り出すことができ、汚れや傷等による記録データの損失を防ぐことが可能な光ディスク収納ケースを提供することが可能になる。
【図面の簡単な説明】
【図１】本実施形態に係るディスクカートリッジを示す斜視図。
【図２】カバーが閉じされた状態のディスクカートリッジを示す斜視図。
【図３】カバーが開けられ光ディスクが載置された状態のディスクカートリッジの斜視図。
【図４】本実施形態に係る保護ケースの斜視図。
【図５】保護ケースの上面に設けられた突起を示す断面図。
【図６】保護ケースの側面に設けられた突起を示す断面図。
【符号の説明】
１０    ディスクカートリッジ
１２    光ディスク
１４    第１ハーフシェル
１６    第２ハーフシェル
１８    ディスク載置部
２０、３２    側壁
２２、３３    切欠き
２４、３４    アクセス窓
３０    ディスクカバー部
４０ａ、４０ｂ、４０ｃ    穴
５０    保護ケース
５１    開口
５０ａ、５０ｂ、５０ｃ、５０ｄ    突起
【図１】
2004149165.tif 000003
【図２】
2004149165.tif 000004
【図３】
2004149165.tif 000005
【図４】
2004149165.tif 000006
【図５】
2004149165.tif 000007
【図６】
2004149165.tif 000008